(57)【要約】【課題】  バール等の工具を使用して面格子が外されるのを効果的に防止できる面格子取付ブラケットの提供。【解決手段】  躯体側部材１と面格子側部材２とを備え、躯体側部材１は、躯体固定部４と、躯体固定部から面格子側部材に向けて突出する躯体側延出部５とを有し、面格子側部材２は、面格子固定部７と、面格子固定部から躯体側部材に向けて突出する面格子側延出部８とを有し、面格子側部材２と躯体側部材１とは、面格子側延出部８及び躯体側延出部５の一方の延出部を内周側、他方の延出部を外周側として重ね且つ所定の接合強度で連結してあり、接合強度を超える屋外向きの荷重が面格子側部材２に加えられたときに、面格子側部材２が躯体側部材１に対して屋外側にスライド自在になると共に回転自在になることを特徴とする。【選択図】      図１
2006009518.tif 000002
【特許請求の範囲】
【請求項１】
躯体側部材と面格子側部材とを備え、躯体側部材は、躯体固定部と、躯体固定部から面格子側部材に向けて突出する躯体側延出部とを有し、面格子側部材は、面格子固定部と、面格子固定部から躯体側部材に向けて突出する面格子側延出部とを有し、面格子側部材と躯体側部材とは、面格子側延出部及び躯体側延出部の一方の延出部を内周側、他方の延出部を外周側として重ね且つ所定の接合強度で連結してあり、接合強度を超える屋外向きの荷重が面格子側部材に加えられたときに、面格子側部材が躯体側部材に対して屋外側にスライド自在になると共に回転自在になることを特徴とする面格子取付ブラケット。
【発明の詳細な説明】
【技術分野】
【０００１】
本発明は、防犯のために窓の屋外側に設置する面格子の取付ブラケットに関する。
【背景技術】
【０００２】
アパート・マンション等の集合住宅では、防犯のため通路側の窓に面格子を設置することがある。通常面格子６は、図７に示すように、左右の縦框９の上下二箇所を面格子取付ブラケット９０（以下、単にブラケットともいう）で建物の躯体（柱）３に固定しており、そのブラケットの一般的な形態は、図５に示すように、帯鋼に二次元的な曲げ加工を行って、躯体３に固定する躯体固定部４と、躯体固定部から屋外側に延びる延出部９１と、面格子６を固定する面格子固定部７を形成したものとなっている。躯体固定部４は躯体にネジ１０で固定され、面格子固定部７に面格子の縦框９をボルト・ナット等の固着具９２で固定している。
【発明の開示】
【発明が解決しようとする課題】
【０００３】
上記のような従来のブラケットでは、延出部９１とサッシ窓の縦枠１１との間に広い空間Ａが形成され、そこから不審者がバール１２を面格子と躯体の間に差し込み、図６に示すように、てこの原理により作用点Ｘに面格子６が外れる方向に大きな力が加えられ、面格子を取付けている固着具９２を破壊するなどして面格子６が外されるおそれがあった。
本発明はこうした述べた実情に鑑みてなされたものであって、バール等の工具を使用して面格子が外されるのを効果的に防止できる面格子取付ブラケットの提供を目的とする。
【課題を解決するための手段】
【０００４】
上記の課題を達成するために本発明の面格子取付ブラケットは、躯体側部材と面格子側部材とを備え、躯体側部材は、躯体固定部と、躯体固定部から面格子側部材に向けて突出する躯体側延出部とを有し、面格子側部材は、面格子固定部と、面格子固定部から躯体側部材に向けて突出する面格子側延出部とを有し、面格子側部材と躯体側部材とは、面格子側延出部及び躯体側延出部の一方の延出部を内周側、他方の延出部を外周側として重ね且つ所定の接合強度で連結してあり、接合強度を超える屋外向きの荷重が面格子側部材に加えられたときに、面格子側部材が躯体側部材に対して屋外側にスライド自在になると共に回転自在になることを特徴とする。
【発明の効果】
【０００５】
本発明の面格子取付ブラケットによれば、不審者が面格子を外すためバール等の工具を使用して、てこの原理で面格子側部材に屋外向きで強い荷重を加えると、面格子側延出部と躯体側延出部の間の接合が解かれ、面格子側部材が躯体側部材に対して屋外側にスライド自在になると共に回転自在となるため、面格子固定部にそれ以上荷重を加えることができず、面格子が外されるのを効果的に防止できる。
【発明を実施するための最良の形態】
【０００６】
以下、本発明の実施の形態を図面に基づいて説明する。図７は、面格子の設置状態を示しており、面格子６はサッシ窓１３より一回り大きく形成し、サッシ窓１３の屋外側に間隔を開けて配置され、左右の縦框９の上下二箇所を本発明に係るブラケット１４で躯体（柱）３に固定している。
【０００７】
ブラケット１４は、図２と図３に示すように、躯体側部材１と面格子側部材２を連結具１５で連結して構成してある。躯体側部材１は、鉄やステンレス等の金属板をＬ形に折り曲げて、躯体３に固定する躯体固定部４と、躯体固定部から屋外側に突出する躯体側延出部５を形成してある。面格子側部材２も同じように、金属板をＬ形に折り曲げて、面格子６を固定する面格子固定部７と、面格子固定部から躯体側に突出する面格子側延出部８を形成してある。躯体側延出部５と面格子側延出部８には、屋内外方向の略全長に亘って長孔１６を長く形成してある。
【０００８】
躯体側部材１と面格子側部材２とは、図３に示すように、面格子側延出部８を内周側、躯体側延出部５を外周側として重ね、両延出部に形成した長孔１６で連結具１５により連結してある。連結具１５は、両延出部の長孔１６に挿通する軸部１７と、両延出部の外側面にそれぞれ当接するフランジ部１８とを有している。連結具１５は、例えば合成樹脂よりなる二部材から構成し、延出部５，８の両側から長孔１６に通して相互に嵌合させて一体化してもよいし、金属製のリベットを使用してもよい。
さらに、重ね合わせた両部材の延出部５，８は、長孔１６の両側の二箇所で、リベット、ビス等の固定具１９により相互にずれないように固定してある。固定具１９は、許容せん断荷重が２ｋＮ程度のものを使用している。
【０００９】
躯体固定部４は、躯体３に当接してネジ１０で固定してある。面格子の縦框９には、屋内側に開口するＴ形溝２０を長手方向に形成してあり、六角ボルト２１の頭部をスライド駒２２に回り止めした状態で保持してＴ形溝２０内に収容し、六角ボルト２１のネジ軸を縦框９の屋内側に突出しており、該ネジ軸をブラケットの面格子固定部７に貫通し、ナット２３をネジ軸に螺合して、縦框９を面格子固定部７に固定している。ナット２３は、緩み止め付きのナットを使用することが好ましい。ナット２３の操作は、面格子固定部７の躯体面側で且つ面格子側延出部８の内周面側から行う。
【００１０】
本ブラケットは以上のように構成され、不審者が面格子６を外そうとして面格子側延出部８の内側にバール１２を挿入し、てこの原理により面格子固定部７に対して屋外向きに力が加えられると、躯体側延出部５と面格子側延出部８とを固定している２本の固定具１９にせん断荷重が加わり、その荷重の大きさが許容荷重を超えると固定具１９がせん断破壊する。すると、躯体側延出部５と面格子側延出部８を繋いでいるのは連結具１５だけとなり、連結具１５はその軸部１７を各延出部５，８の長孔１６に挿通してあるので、図１に示すように、面格子側部材２が躯体側部材１に対して屋外側にスライド自在になると共に回転自在となり、面格子側部材２はぐらぐらの状態になる。そのため、面格子固定部７にバール１２から大きい荷重を加えることができなくなり、面格子を固定部に固定している固着具（六角ボルト２１、ナット２３）の破壊を防止し、面格子６が外されるのを効果的に防止できる。
【００１１】
本発明は以上に述べた実施形態に限定されない。面格子側部材２と躯体側部材１とは、面格子側延出部８を外周側、躯体側延出部５を内周側として重ねて接合してもよい。また、図４に示すように、一つのブラケットに対して躯体側部材１を２個使用し、内周側と外周側に配置した躯体側延出部５の間に面格子側延出部８を挟んで接合したものであってもよい。
【図面の簡単な説明】
【００１２】
【図１】本発明による面格子取付ブラケットの使用状態を示す側面図であって、バールにより面格子を外そうとして、面格子側部材がぐらぐらになったときの状態を示す。
【図２】本発明による面格子取付ブラケットの通常の使用状態を示す側面図である。
【図３】図２におけるＡ−Ａ断面図である。
【図４】本発明による面格子取付ブラケットの別の実施形態を示す横断面図である。
【図５】従来の面格子取付ブラケットの使用状態を示す横断面図である。
【図６】従来の面格子取付ブラケットの内側にバールを挿入し、力を加えた状態を示す側面図である。
【図７】面格子の設置状態を示す正面図である。
【符号の説明】
【００１３】
１  躯体側部材
２  面格子側部材
３  躯体
４  躯体固定部
５  躯体側延出部
６  面格子
７  面格子固定部
８  面格子側延出部
【図１】
2006009518.tif 000003
【図２】
2006009518.tif 000004
【図３】
2006009518.tif 000005
【図４】
2006009518.tif 000006
【図５】
2006009518.tif 000007
【図６】
2006009518.tif 000008
【図７】
2006009518.tif 000009